(57)【要約】【課題】情報を再生する際に早送り・早戻し再生等を利用して再生位置を探索可能とし、かつ、探索を行った後で、探索前の状態に戻れるようにする。【解決手段】記録媒体１００に記録された音楽データのトラックを、再生位置を移動させながら再生する車載オーディオ装置１において、トラックにおける再生位置を移動させる探索動作を実行するとともに、この探索動作が実行された後に、再生中のトラックにおける再生位置を、探索動作の実行前の再生位置に復帰させる。【選択図】図１
2007257729.tif 000002
【特許請求の範囲】
【請求項１】
時間経過とともに一方向に再生すべく構成された情報を、再生位置を移動させながら再生する再生手段と、
前記情報における再生位置を移動させる探索動作を実行する探索手段と、
前記探索手段により探索動作が実行された後に、前記情報における再生位置を、当該探索動作の実行前の再生位置に復帰させる再生位置復帰手段と、
を備えたことを特徴とする再生装置。
【請求項２】
前記再生位置復帰手段は、前記探索手段により探索動作が開始される時点における再生位置を取得して記憶手段に記憶させ、前記探索手段による探索動作が終了した後で、前記記憶手段に記憶された再生位置に基づき、前記情報における再生位置を復帰させること、を特徴とする請求項１記載の再生装置。
【請求項３】
前記探索手段による探索動作の実行を指示する第１の操作子と、前記再生位置復帰手段により再生位置を復帰させるよう指示する第２の操作子と、を備え、
前記再生位置復帰手段は、前記探索手段による探索動作の実行後に前記第２の操作子が操作された場合に、前記情報における再生位置を探索動作の実行前の位置に復帰させること、を特徴とする請求項１または２記載の再生装置。
【請求項４】
前記再生手段は、前記情報の先頭から末尾に向かって再生位置を移動させながら再生するものであって、
前記探索手段は、探索動作として、前記情報の末尾に向かって再生位置を進める早送り動作、および、前記情報の先頭に向かって再生位置を戻す早戻し動作を選択的に実行すること、を特徴とする請求項１から３のいずれかに記載の再生装置。
【請求項５】
前記情報はデジタル形式で記録された音楽データまたは映像データであること、を特徴とする請求項１から４のいずれかに記載の再生装置。
【請求項６】
時間経過とともに一方向に再生すべく構成された情報を、再生位置を移動させながら再生するための情報再生方法であって、
前記情報における再生位置を移動させる探索動作を実行するとともに、この探索動作が実行された後に、前記情報における再生位置を、当該探索動作の実行前の再生位置に復帰させること、
を特徴とする情報再生方法。
【請求項７】
コンピュータを、
時間経過とともに一方向に再生すべく構成された情報を、再生位置を移動させながら再生する再生手段と、
前記情報における再生位置を移動させる探索動作を実行する探索手段と、
前記探索手段により探索動作が実行された後に、前記情報における再生位置を、当該探索動作の実行前の再生位置に復帰させる再生位置復帰手段と、
して機能させるためのプログラム。
【発明の詳細な説明】
【技術分野】
【０００１】
本発明は、情報を再生する再生装置、情報再生方法、および、プログラムに関する。
【背景技術】
【０００２】
一般に、ＣＤやＤＶＤ等の記録媒体に記録された音声や映像等を再生する再生装置は、記録媒体に記録された情報を、トラック単位、あるいはチャプタ単位で選択する。従って、ユーザが再生開始位置を指定する場合、所望のトラックまたはチャプタを指定し、そのトラックまたはチャプタの先頭から再生が開始されていた。さらに、トラックまたはチャプタの途中から再生させたいとのニーズに対応して、例えば、ＣＤに記録された音声データの再生時に、早送り（ＦＦ）再生、早戻し（ＲＥＷ）再生を実行可能とし、所望の再生位置を細かく探索するものがあった（例えば、特許文献１参照。）。
【特許文献１】特開平８−１８０５９４号公報
【発明の開示】
【発明が解決しようとする課題】
【０００３】
ところで、早送り・早戻し再生を行っても特定の再生位置を探すことは難しく、ユーザが所望の再生位置を見つけ出せるとは限らない。所望の再生位置を発見できないまま探索を終了した場合は、通常の再生を再開することになるが、ユーザは通常の再生を再開する位置を探索する操作を行わなければならず、非常に面倒であった。
【０００４】
本発明は、上述した事情に鑑み、情報を再生する際に早送り・早戻し再生等を利用して再生位置を探索可能とし、かつ、探索を行った後で、探索前の状態に戻れるようにすることを目的とする。
【課題を解決するための手段】
【０００５】
上記課題を解決するため、本発明は、時間経過とともに一方向に再生すべく構成された情報を、再生位置を移動させながら再生する再生手段と、前記情報における再生位置を移動させる探索動作を実行する探索手段と、前記探索手段により探索動作が実行された後に、前記情報における再生位置を、当該探索動作の実行前の再生位置に復帰させる再生位置復帰手段と、を備えたことを特徴とする再生装置を提供する。
【０００６】
この構成によれば、再生手段によって情報を再生する際に探索動作を行って、所望の再生位置を探索するとともに、探索動作の終了後に、再生位置を探索動作の前の状態に戻すことができる。このため、探索動作で所望の再生位置を見つけられなかったとしても、容易に、探索動作の前の状態に復帰できるので、所望の再生位置の探索に失敗しても操作の負担が増えず、ユーザが再生位置の探索を気軽に行うことができる。
【０００７】
上記構成において、前記再生位置復帰手段は、前記探索手段により探索動作が開始される時点における再生位置を取得して記憶手段に記憶させ、前記探索手段による探索動作が終了した後で、前記記憶手段に記憶された再生位置に基づき、前記情報における再生位置を復帰させるものとしてもよい。
この場合、探索動作を開始する時点における再生位置を記憶しておくことで、探索動作の実行後には、確実に、かつ容易に、探索動作の前の状態に復帰できる。
【０００８】
また、上記構成において、前記探索手段による探索動作の実行を指示する第１の操作子と、前記再生位置復帰手段により再生位置を復帰させるよう指示する第２の操作子と、を備え、前記再生位置復帰手段は、前記探索手段による探索動作の実行後に前記第２の操作子が操作された場合に、前記情報における再生位置を探索動作の実行前の位置に復帰させるものとしてもよい。
この場合、第２の操作子を操作することで、探索動作の前の状態に容易に復帰できるので、ユーザの操作負担をより一層軽減できる。
【０００９】
さらに、上記構成において、前記再生手段は、前記情報の先頭から末尾に向かって再生位置を移動させながら再生するものであって、前記探索手段は、探索動作として、前記情報の末尾に向かって再生位置を進める早送り動作、および、前記情報の先頭に向かって再生位置を戻す早戻し動作を選択的に実行するものとしてもよい。
この場合、早送り動作および早戻し動作により再生位置を探索し、この探索に失敗して所望の再生位置を発見できなかった場合に、再び早送り動作や早戻し動作を行うことなく、探索動作の前の状態に容易に復帰できる。これにより、ユーザの操作負担をより一層軽減でき、ユーザが気軽に早送り動作や早戻し動作を行わせて、再生位置の探索を行える。
【００１０】
また、上記構成において、前記情報はデジタル形式で記録された音楽データまたは映像データとしてもよい。この場合、音楽データまたは映像データの再生時に、所望の探索動作を気軽に行うことができるので、ユーザの利便性をより一層高めることができる。
【００１１】
また、上記課題を解決するため、本発明は、時間経過とともに一方向に再生すべく構成された情報を、再生位置を移動させながら再生するための情報再生方法であって、前記情報における再生位置を移動させる探索動作を実行するとともに、この探索動作が実行された後に、前記情報における再生位置を、当該探索動作の実行前の再生位置に復帰させること、を特徴とする情報再生方法を提供する。
【００１２】
また、上記課題を解決するため、本発明は、コンピュータを、時間経過とともに一方向に再生すべく構成された情報を、再生位置を移動させながら再生する再生手段と、前記情報における再生位置を移動させる探索動作を実行する探索手段と、前記探索手段により探索動作が実行された後に、前記情報における再生位置を、当該探索動作の実行前の再生位置に復帰させる再生位置復帰手段と、して機能させるためのプログラムを提供する。
【発明の効果】
【００１３】
本発明によれば、探索動作を行って所望の再生位置を探索するとともに、この探索動作が終了した後に、再生位置を探索動作の前の状態に戻すことができるので、所望の再生位置の探索に失敗しても操作の負担が増えず、ユーザが再生位置の探索を気軽に行うことができる。
【発明を実施するための最良の形態】
【００１４】
以下、図面を参照しつつ本発明の実施の形態について説明する。
図１は、本発明を適用した実施の形態に係る車載オーディオ装置１の概略構成を示す図である。
この図１に示すように、車載オーディオ装置１は、オーディオ装置本体２と、オーディオ装置本体２を操作するためのリモコン４とを備える。
【００１５】
本発明を適用した装置により再生される情報は、時間経過とともに一方向に再生すべく構成された情報、例えば、予め定められた速度で先頭から末尾まで連続して再生され、再生終了までの間に同じ部分が複数回再生されることがない情報を指し、より具体的には、所定の再生速度で再生される音楽データや映像データ等であって、具体的な記録フォーマットは任意である。この実施の形態では、一例として、ＣＤやＤＶＤ等のディスク型の記録媒体１００を挿入するためのディスク挿入口２１を備え、記録媒体１００に記録された音声データを読み出して、楽曲の音声を再生出力する車載オーディオ装置１について説明する。
【００１６】
本実施の形態で説明する例では、車載オーディオ装置１により、サンプリング周波数４４．１ｋＨｚ、サンプリングサイズ１６ｂｉｔのステレオ音声データが記録された記録媒体１００から、この音声データを読み出して再生する。記録媒体１００には、複数のデータトラックが記録され、これら複数のトラックはそれぞれ一曲の楽曲に相当する。各トラックの音楽データは車載オーディオ装置１によって読み出されて復調され、予め定められた再生速度で、その先頭から末尾まで、一方向に再生される。
また、記録媒体１００に記録された複数のトラックには再生順序が決められており、オーディオ装置本体２は、この再生順序に従ってトラックを選択し、選択したトラックの音声データを再生する。選択されたトラックの再生中、オーディオ装置本体２は、当該トラックにおける再生位置を検出することが可能であり、この再生位置は、例えば、当該トラックの先頭から上記再生速度で再生した場合の経過時間により表される。
【００１７】
図１に示すオーディオ装置本体２は、オーディオ装置本体２の電源のＯＮ／ＯＦＦおよび出力音量を調整するためのボリューム調整スイッチ２２、記録媒体１００の種類や再生中のトラックの番号、トラックにおける再生位置を示す経過時間等の各種情報を表示するディスプレイ２３、リモコン４から送信される赤外線信号を受光するためのリモコン受光窓２４、オーディオ装置本体２の機能に係る各種操作を行うための複数のキースイッチを備えた機能キー部２５等を備える。
【００１８】
また、オーディオ装置本体２は、楽曲の再生に係る操作を行うための操作キーとして、再生キー３１、停止キー３２、一時停止キー３３、曲送りキー３４、曲戻しキー３５、早送りキー３６、早戻しキー３７、および復帰キー３８を備える。これらの操作キーには、それぞれ音声の再生に係る動作が対応づけられており、例えば、再生キー３１は再生開始を指示するキーであり、停止キー３２は動作停止を指示するキーであり、一時停止キー３３は再生中の一時停止、および、一時停止後の再生再開を指示するキーである。また、曲送りキー３４および曲戻しキー３５は、記録媒体１００におけるトラックの再生順序に従って、再生するトラックを指定するためのキーであり、曲送りキー３４は次のトラックを指定し、曲戻しキー３５は前のトラックを指定する。また、例えば、早送りキー３６は再生位置を進めるキーであり、早戻しキー３７は再生位置を戻すキーであり、復帰キー３８は、後述する復帰動作により再生位置を復帰させるキーである。
【００１９】
一方、リモコン４は、オーディオ装置本体２を遠隔操作するためのリモコン装置である。車載オーディオ装置１は、上述した機能キー部２５や操作キー３１〜３８を利用してオーディオ装置本体２を操作できるよう構成されているが、より離れた場所からもオーディオ装置本体２の操作を行えるよう、リモコン４を具備している。
リモコン４は、再生キー４１、停止キー４２、一時停止キー４３、曲送りキー４４、曲戻しキー４５、早送りキー４６、早戻しキー４７、および復帰キー４８の操作キーを備える。これらの操作キーに割り当てられた機能は、上述の操作キー３１〜３８における同名称の操作キーに等しい。そして、リモコン４は、操作キー４１〜４８がユーザによって押下されると、押下された操作キーを示す赤外線信号を生成して、オーディオ装置本体２へ送信する。この赤外線信号は、オーディオ装置本体２のリモコン受光窓２４を介して受光される。また、リモコン４は、機能キー部２５と同様にオーディオ装置本体２の機能に係る各種操作を行うための複数のキースイッチを備えた、機能キー部４９を備える。
【００２０】
図２は、車載オーディオ装置１の電気的構成を示すブロック図である。
車載オーディオ装置１を構成するオーディオ装置本体２は、各部を制御する制御部２０１と、制御部２０１により処理されるデータ等を一時的に記憶する記憶手段としてのメモリ２０２と、制御部２０１の制御に従って記録媒体１００を駆動して音声データを読み出すディスクドライブ２０３と、ディスクドライブ２０３とともに再生手段を構成し、ディスクドライブ２０３により読み出された音声データを復調して増幅し、スピーカ３に音声信号を出力する出力回路２０４と、操作キー３１〜３８（図１）および機能キー部２５（図１）における操作を検出して制御部２０１に操作信号を出力する操作検出部２０５と、リモコン４から送信された赤外線信号を受光して復調することで操作信号を生成し、制御部２０１に出力する受光部２０６と、を備える。
【００２１】
また、リモコン４は、操作キー４１〜４８および機能キー部４９における操作を示す操作信号を出力する操作検出部４０１と、この操作検出部４０１から出力された操作信号を変調して赤外線信号を送信する発光部４０２とを備える。
【００２２】
制御部２０１は、操作検出部２０５および受光部２０６から入力される操作信号に基づいて、操作された操作キー３１〜３８、４１〜４８に対応する再生動作を実行すべく、ディスクドライブ２０３を制御する。ディスクドライブ２０３は、制御部２０１の制御のもと、記録媒体１００に記録された音声データのうち、指定されたトラックの指定された再生位置から音声データを読み出す。
例えば、制御部２０１は、再生キー３１、４１が操作された場合、上記再生速度で音声データを再生させ、停止キー３２、４２が操作された場合は、音声データの再生を停止させる。また、音声データの再生中に一時停止キー３３、４３が操作された場合は再生を一時停止させ、一時停止中に一時停止キー３３、４３が操作された場合は、一時停止した再生位置から再生を再開させる。また、曲送りキー３４、４４または曲戻しキー３５、４５が操作された場合には、記録媒体１００におけるトラックの再生順序に従って、再生対象のトラックを次または前のトラックに移動させる。
【００２３】
さらに、制御部２０１は、音声データの再生中に、第１の操作子としての早送りキー３６、４６が操作された場合は早送り動作を実行して、再生中のトラックにおける再生位置をトラック末尾に向かって進める。また、第１の操作子としての早戻しキー３７、４７が操作された場合には早戻し動作を実行して、再生中のトラックにおける再生位置をトラックの先頭に向けて戻す。ここで、早送り動作および早戻し動作は、早送りキー３６、４６、早戻しキー３７、４７が押下されている間だけ実行される。これら早送り動作および早戻し動作により、再生中のトラックにおける再生位置を任意の位置に移動させることができる。つまり、早送り動作および早戻し動作は再生位置を探索するための動作であり、本実施の形態では上記早送り動作および早戻し動作を特殊再生動作（探索動作）と呼ぶ。
【００２４】
そして、制御部２０１は、早送り動作または早戻し動作を行った後で、第２の操作子としての復帰キー３８、４８が操作された場合には復帰動作を実行し、再生位置を、直前の早送り動作または早戻し動作を行う前の再生位置に戻して、通常の再生を開始させる。
【００２５】
すなわち、制御部２０１は、早送りキー３６、３６、または早戻しキー３７、４７の操作により早送り動作または早戻し動作を開始する際に、その開始時点における再生位置を示す復帰位置情報２Ａを生成し、メモリ２０２に記憶させる。そして、制御部２０１は、早送り動作または早戻し動作が終了すると、メモリ２０２に記憶した復帰位置情報２Ａを参照し、この復帰位置情報２Ａに従って再生位置を移動させ、この再生位置からトラックの再生を開始させる。
【００２６】
図３は、車載オーディオ装置１の動作を示すフローチャートであり、詳細には、制御部２０１の動作を示す。
この図３に示す動作は、制御部２０１が内蔵する記憶領域（図示略）或いは制御部２０１に接続されたＲＯＭ（図示略）等に記憶されたプログラムを、制御部２０１によって実行することにより実現される。この図３に示す動作の実行時、制御部２０１は、探索手段および再生位置復帰手段として機能する。
【００２７】
曲送りキー３４、４４、曲戻しキー３５、４５の操作等によりトラックが選択され、再生キー３１、４１の操作により再生開始が指示されると、制御部２０１は選択されたトラックの再生を開始するとともに（ステップＳ１１）、メモリ２０２に記憶された復帰位置情報２Ａをクリアする（ステップＳ１２）。
【００２８】
続いて制御部２０１は、通常の再生動作が継続されているかを監視し（ステップＳ１３）、再生動作が継続されなくなった場合（例えば、再生終了時）には本処理を終了する。
さらに、制御部２０１は、早送りキー３６、４６、早戻しキー３７、４７が操作されて特殊再生の実行が要求された場合に（ステップＳ１４；Ｙｅｓ）、現在の再生位置を示す復帰位置情報２Ａを生成してメモリ２０２に記憶させ（ステップＳ１５）、要求された特殊再生動作を実行する（ステップＳ１６）。
【００２９】
そして、要求された特殊再生動作が終了した場合（ステップＳ１７；Ｙｅｓ）、制御部２０１は、復帰キー３８、４８が操作されるか否かを判別し（ステップＳ１８）、復帰キー３８、４８が操作された場合には（ステップＳ１８；Ｙｅｓ）、メモリ２０２から復帰位置情報２Ａを読み出して、この復帰位置情報２Ａにより示される位置に再生位置を移動させ（ステップＳ１９）、この再生位置から、通常の再生動作を開始して（ステップＳ２０）、ステップＳ１３に戻る。
また、特殊再生動作が終了してから所定時間内に復帰キー３８、４８が操作されなかった場合（ステップＳ１８；Ｎｏ）、制御部２０１は、特殊再生動作により移動された再生位置から、通常の再生動作を開始し（ステップＳ２０）、ステップＳ１３に戻る。
【００３０】
以上のように、本発明を適用した実施の形態にかかる車載オーディオ装置１によれば、記録媒体１００に記録された音楽データを再生する際に、通常の再生動作とは別に、トラック中の再生位置を移動させる特殊再生動作として、早送り動作および早戻し動作を実行可能に構成され、この早送り動作および早戻し動作の実行後に、その動作の実行前の再生位置に復帰する復帰動作を行うことができる。これにより、再生位置をトラックの先頭または末尾に向かって移動させて再生位置を探索する場合、所望の再生位置を見つけることができなくても、探索を行う前の再生位置に容易に復帰できので、ユーザの操作の負担が軽減され、再生位置の探索を気軽に行えるようになる。
【００３１】
なお、上述した実施の形態および各変形例は、本発明の一実施態様を示すものであり、本発明の範囲内で任意に変形および応用可能であることは勿論である。例えば、上記実施の形態においては、車両に搭載される車載オーディオ装置１について説明したが、本発明はこれに限定されるものではなく、通常の室内に設置されたスピーカから音声を出力する家庭用または業務用オーディオ装置等、車室以外の場所に設置され、デジタルデータに基づいて信号を出力する全ての機器に適用可能である。
【００３２】
また、上記実施の形態に係る車載オーディオ装置１は、記録媒体１００に記録されたデジタル音楽データを読み出して再生するものとして説明したが、本発明はこれに限定されず、音声、映像等のマルチメディアデータを含め、経時的に再生すべく構成された全ての情報を再生する場合に適用可能である。この一例としては、デジタル形式で記録された映像データを再生し、映像信号を出力する装置においても適用可能である。この場合、記録媒体１００に記録された映像データを、チャプタ単位で再生するとともに、チャプタ中における再生位置を特殊再生動作によって探索可能で、かつ、探索が終了した後には再生位置を探索前の位置に復帰させる復帰動作を実行する構成とすればよい。
さらに、ＣＤやＤＶＤ等のディスク型の記録媒体１００に記録されたデータに限らず、半導体メモリ素子を用いた記録媒体に記録されたデータや、オーディオ装置本体２にハードディスク装置を内蔵させて、このハードディスク装置に記録されたデータを読み出して再生するようにしてもよいし、ネットワークを介して接続されたコンピュータにより読み取り可能な記録媒体に記録されたデータを、ネットワークを介して取得し、再生する構成とすることも可能である。また、カセットテープ等の記録媒体にアナログ形式で記録された音声信号を再生する装置においても、再生位置を検出および記憶可能な構成とすれば、本発明を適用することが可能である。
【００３３】
さらにまた、上記実施の形態においては、記録媒体１００に記録された各トラックが一つの楽曲に対応するものとして説明したが、複数の楽曲のデータを１トラックに含ませた構成としてもよいし、複数のトラックにより一つの楽曲が構成されるものとしてもよい。また、トラックのデータフォーマットについても任意である。
また、上記実施の形態において、オーディオ装置本体２が備える操作キー３１〜３８、リモコン４が備える操作キー４１〜４８の配置態様や形状等を含め、具体的な細部構成については、本発明の趣旨を損なうことのない範囲において任意に変更可能である。
【図面の簡単な説明】
【００３４】
【図１】本発明を適用した実施の形態に係る車載オーディオ装置の概略構成を示す図である。
【図２】車載オーディオ装置の構成を示すブロック図である。
【図３】車載オーディオ装置の動作を示すフローチャートである。
【符号の説明】
【００３５】
１  車載オーディオ装置
２  オーディオ装置本体
３  スピーカ
４  リモコン
２１  ディスク挿入口
２２  ボリューム調整スイッチ
２３  ディスプレイ
３１〜３８  操作キー
４１〜４８  操作キー
３６、４６  早送りキー（第１の操作子）
３７、４７  早戻しキー（第１の操作子）
３８、４８  復帰キー（第２の操作子）
２０１  制御部（探索手段、再生位置復帰手段）
２０２  メモリ（記憶手段）
２０３  ディスクドライブ（再生手段）
２０４  出力回路（再生手段）
２０５  操作検出部
２０６  受光部
４０１  操作検出部
４０２  発光部
【図１】
2007257729.tif 000003
【図２】
2007257729.tif 000004
【図３】
2007257729.tif 000005